(57)【要約】【課題】  乳幼児が背もたれの傾かないベビーカー等で寝た場合に生じる頭の揺れ等を防ぐベビーカー用乳幼児の頭の固定装具。【解決手段】  本考案は幅の広い厚手の布等の帯１に、太いベルト状のひも２と太いゴムひも３をつけて子どもの頭を優しく包む事により頭を固定し、背もたれの傾かないベビーカーでも寝ている子どもが頭を揺らしたり、ベビーカーの両サイドのパイプにぶつかったりする事を防ぐ。【選択図】    図１
0003120643.tif 000002
【実用新案登録請求の範囲】
【請求項１】
布等でできた帯の両端にベルト状のひもを付け、その両端に長さを調節可能にするバックル等を付ける事により、ベビーカーなどに着脱自在に。また同じく帯の両端のベルトの内側にゴムひもを取り付け、ゴムひもにマジックテープ等をつける事により、寝ている乳幼児の頭を固定することを特徴とするベビーカー用乳幼児の頭の固定装具。
【請求項２】
布の帯に付けたベルト状のひもの長さを調節することにより、ベビーカーの背もたれ上部に、背もたれの高さの補充として取り付ける事ができることを特徴とするベビーカー用装具。
【考案の詳細な説明】
【技術分野】
【０００１】    本考案は、ベビーカー等に座って寝ている子どもの頭を支える事のできる、布等でできた頭の固定装具に関するものである。
【背景技術】
【０００２】    背もたれの傾かないベビーカー等で子どもが寝た場合、頭が上下に揺れたり、ベビーカーの両サイドのパイプにぶつかり安眠できないが、それを防ぐ装具はなかった。
【考案の開示】
【考案が解決しようとする課題】
【０００３】    子どもが背もたれの傾かないベビーカー等で寝た場合、頭が上下に揺れたり、両サイドのパイプにぶつかる事により、安眠できず、ベビーカーを押す者も注意しなければならない。したがって、できるだけ子どもの頭が揺れたり、パイプ等にぶつかる事がないように、頭を支える固定装具を使う事により前述の問題を解決しようとするものである。
【課題を解決するための手段】
【０００４】    本考案は、厚手の布等でできた帯の両端にひもとゴムひもをつけ、ひもには長さを調節できるバックル等を付けベビーカーに着脱自在に、ゴムひもにはマジックテープ等をつけ布の帯で子どもの頭を包み支える事により問題点を解決している。
【考案の効果】
【０００５】    上述の様に、本考案のベビーカー用乳幼児の頭の固定装具は、ひもとゴムひもを付ける事により、頭を優しく包み固定し支えることができるので、ベビーカーで寝ている子どもの頭が上下に揺れたり、両サイドのパイプにぶつかって安眠を妨げられる事を防ぐ上、ベビーカーを押す者の負担を軽くすることができる。【０００６】また、ひもの長さを調節して布の帯をベビーカーの背もたれの上部にしっかりと固定する事により、本来の背もたれの高さでは頭がはみ出してしまう子どもの為に、背もたれの高さを変える事ができる。
【考案を実施するための最良の形態】
【０００７】    柔らかな厚手の吸水性の高い布を帯状にし、その両端に太めのひも（ベルト）を、その内側には太めのゴムひもをつけ、ひもの両端には長さを調節したり簡単に着脱できるバックルなどを、ゴムひもには柔らかいタイプのマジックテープ等をつける。
【実施例】
【０００８】  以下、添付図面にしたがって一実施例を説明する。１は厚手の柔らかい布でできた帯、２は幅の太いひも（ベルト）で、４のバックルを両端に取り付ける事により着脱が簡単にでき、ひもの長さを調節する事ができる。３は幅の太いゴムひもで、両端に長めに５のマジックテープを縫い付ける事により、優しく頭を包む事ができる。
【図面の簡単な説明】
【０００９】
【００１０】
【図１】本考案のベビーカー用乳幼児の頭の固定装具の図
【図２】本固定装具の一実施例を示す図
【図３】図２の頭の部分の拡大図
【図４】本固定装具を背もたれとして使用した例を示す図
【符号の説明】
【００１１】        １  布の帯
２  ひも（ベルト）
３  ゴムひも
４  バックル
５  マジックテープ
【図１】
0003120643.tif 000003
【図２】
0003120643.tif 000004
【図３】
0003120643.tif 000005
【図４】
0003120643.tif 000006
【手続補正書】
【提出日】平成18年1月20日(2006.1.20)
【手続補正１】
【補正対象書類名】実用新案登録請求の範囲
【補正対象項目名】全文
【補正方法】変更
【補正の内容】
【実用新案登録請求の範囲】
【請求項１】
布等でできた帯の両端にベルト状のひもを付け、その両端に長さを調節可能にするバックル等を付ける事により、ベビーカーなどに着脱自在に、また帯の両端のベルトの内側にゴムひもを取り付け、ゴムひもに面ファスナー等をつける事により、寝ている乳幼児の頭を固定することを特徴とするベビーカー用乳幼児の頭の固定装具。
【請求項２】
布の帯に付けたベルト状のひもの長さを調節することにより、ベビーカーの背もたれ上部に、背もたれの高さの補充として取り付ける事ができることを特徴とする請求項１記載のベビーカー用乳幼児の頭の固定装具。
【手続補正２】
【補正対象書類名】明細書
【補正対象項目名】全文
【補正方法】変更
【補正の内容】
【考案の詳細な説明】
【技術分野】
【０００１】    本考案は、ベビーカー等に座って寝ている子どもの頭を支える事のできる、布等でできた頭の固定装具に関するものである。
【背景技術】
【０００２】    背もたれの傾かないベビーカー等で子どもが寝た場合、頭が上下に揺れたり、ベビーカーの両サイドのパイプにぶつかり安眠できないが、それを防ぐ装具はなかった。
【考案の開示】
【考案が解決しようとす課題】
【０００３】    子どもが背もたれの傾かないベビーカー等で寝た場合、頭が上下に揺れたり、両サイドのパイプにぶつかる事により、安眠できず、ベビーカーを押す者も注意しなければならない。したがって、できるだけ子どもの頭が揺れたり、パイプ等にぶつかる事がないように、頭を支える固定装具を使う事により前述の問題を解決しようとするものである。
【課題を解決するための手段】
【０００４】    本考案は、厚手の布等でできた帯の両端にひもとゴムひもをつけ、ひもには長さを調節できるバックル等を付けベビーカーに着脱自在に、ゴムひもには面ファスナー等をつけ布の帯で子どもの頭を包み支える事により問題点を解決している。
【考案の効果】
【０００５】    上述の様に、本考案のベビーカー用乳幼児の頭の固定装具は、ひもとゴムひもを付ける事により、頭を優しく包み固定し支えることができるので、ベビーカーで寝ている子どもの頭が上下に揺れたり、両サイドのパイプにぶつかって安眠を妨げられる事を防ぐ上、ベビーカーを押す者の負担を軽くすることができる。
【０００６】また、ひもの長さを調節して布の帯をベビーカーの背もたれの上部にしっかりと固定する事により、本来の背もたれの高さでは頭がはみ出してしまう子どもの為に、背もたれの高さを変える事ができる。
【考案を実施するための最良の形態】
【０００７】    柔らかな厚手の吸水性の高い布を帯状にし、その両端に太めのひも（ベルト）を、その内側には太めのゴムひもをつけ、ひもの両端には長さを調節したり簡単に着脱できるバックルなどを、ゴムひもには柔らかいタイプの面ファスナー等をつける。
【実施例】
【０００８】  以下、添付図面にしたがって一実施例を説明する。１は厚手の柔らかい布でできた帯、２は幅の太いひも（ベルト）で、４のバックルを両端に取り付ける事により着脱が簡単にでき、ひもの長さを調節する事ができる。３は幅の太いゴムひもで、両端に長めに５の面ファスナー等を縫い付ける事により、優しく頭を包む事ができる。
【図面の簡単な説明】
【０００９】
【図１】本考案のベビーカー用乳幼児の頭の固定装具の図
【図２】本固定装具の一実施例を示す図
【図３】図２の頭の部分の拡大図
【図４】本固定装具を背もたれとして使用した例を示す図
【符号の説明】
【００１０】１  布の帯
２  ひも（ベルト）
３  ゴムひも
４  バックル
５  面ファスナー